(57)【要約】【課題】  本発明は簡便な構造により装置の厚みを抑制することができ、且つ表示部から光を透過させて出射することにより該表示部に表示された情報を外部から認識し易くさせるとともに、外部から照射された外来光を該外来光が照射された方向に反射させることができる標識灯の提供を目的とする。【解決手段】  本発明は、光を発する光源部と、光源部に隣接し側面から入射された光を主面から出射する導光部と、導光部の一主面に積層され、導光部の一主面から出射された光の一部を透過させ、且つ外部から照射された外来光を反射させる透過反射部と、透過反射部に積層され、所定の情報が表示され透過反射部からの光を透過させる表示部とを備え、導光部は、一主面又は他主面の少なくとも一面に点状の凹部がマトリクス状に形成され、透過反射部は、三角錐形状の凹部状の反射膜が形成された反射部と、反射部と反射部との間に設けられた透過部と、からなることを特徴とする。【選択図】  図１
2014240981.tif 000002
【特許請求の範囲】
【請求項１】
光を発する光源部と、
前記光源部に隣接し、側面から入射された前記光源部の光を主面から出射する導光部と、
前記導光部の主面の１つである一主面に積層され、前記導光部の前記一主面から出射された光の一部を透過させ、且つ外部から照射された外来光を反射させる透過反射部と、
前記透過反射部に積層され、所定の情報が表示され前記透過反射部からの光を透過させる表示部とを備え、
前記導光部は、前記一主面又は他主面の少なくとも一面に点状の凹部がマトリクス状に形成され、
前記透過反射部は、三角錐形状の凹部状の反射膜が形成された反射部と、
前記反射部と前記反射部との間に設けられた透過部と、からなること
を特徴とする標識灯。
【請求項２】
前記導光部の前記一主面に対向して設けられた他主面に隣接し、前記導光部の前記他主面から出射された光を反射させる反射板が設けられていること
を特徴とする請求項１に記載の標識灯。
【請求項３】
前記導光部と前記透過反射部との間に設けられ、前記導光部から出射された光を透過させ前記透過反射部に入射させる透過板が設けられていること
を特徴とする請求項１に記載の標識灯。
【請求項４】
前記導光部と前記反射板又は前記透過板との間に、空間が設けられていること
を特徴とする請求項２又は請求項３に記載の標識灯。
【請求項５】
前記導光部は、保持部材にて前記導光部の外周を保持され、且つ前記保持部材の内周面に前記光源部が設けられていること
を特徴とする請求項１に記載の標識灯。
【請求項６】
前記保持部材の断面形状は、コの字形状に形成されていること
を特徴とする請求項５に記載の標識灯。
【請求項７】
前記透過反射部の前記一主面又は前記他主面に、反射防止膜が形成されていること
を特徴とする請求項１に記載の標識灯。
【請求項８】
前記導光部に形成された凹部は、超音波加工、加熱加工、レーザー加工及び成型加工にて形成されること
を特徴とする請求項１に記載の標識灯。
【請求項９】
光を発する光源部と、
前記光源部に隣接し、側面から入射された光源部の光を主面から出射する導光部と、
前記導光部の主面の１つである一主面及び前記一主面に対向して設けられた他主面にそれぞれ積層され、前記導光部の前記一主面及び前記他主面から出射された光の一部をそれぞれ透過させ、且つ外部から照射された外来光をそれぞれ反射させる一対の透過反射部と、
前記一対の透過反射部にそれぞれ積層され、所定の情報が表示され前記一対の透過反射部からの光をそれぞれ透過させる一対の表示部とを備え、
前記導光部は、前記一主面及び他主面に点状の凹部がマトリクス状に形成され、
前記透過反射部は、三角錐形状の凹部状の反射膜が形成された反射部と、
前記反射部と前記反射部との間に設けられた透過部と、からなること
を特徴とする標識灯。
【請求項１０】
前記導光部と前記一対の透過反射部との間に設けられ、前記導光部から出射された光をそれぞれ透過させ前記一対の透過反射部にそれぞれ入射させる一対の透過板が設けられていること
を特徴とする請求項９に記載の標識灯。
【請求項１１】
前記導光部と前記一対の透過板との間に、それぞれ空間が設けられていること
を特徴とする請求項９に記載の標識灯。
【請求項１２】
前記導光部は、保持部材にて前記導光部の外周を保持され、且つ前記保持部材の内周面に前記光源部が設けられていること
を特徴とする請求項９に記載の標識灯。
【請求項１３】
前記保持部材の断面形状は、コの字形状に形成されていること
を特徴とする請求項１２に記載の標識灯。
【請求項１４】
前記透過反射部の前記一主面又は前記他主面に、反射防止膜が形成されていること
を特徴とする請求項９に記載の標識灯。
【請求項１５】
前記導光部に形成された凹部は、超音波加工、加熱加工、レーザー加工及び成型加工にて形成されること
を特徴とする請求項９に記載の標識灯。
【発明の詳細な説明】
【技術分野】
【０００１】
本発明は、例えば道路に設けられ交通規制等の情報を表示する標識灯に関する。
【背景技術】
【０００２】
従来、太陽電池式表示装置に関し、表示板を、太陽電池パネルへの太陽光の到達を妨げない光透過性の材料で形成するとともに、太陽電池パネルのパネル面と重ねて配置した構成がある（例えば、特許文献１参照。）。
【先行技術文献】
【特許文献】
【０００３】
【特許文献１】特開２００６−１１２５８号公報
【発明の概要】
【発明が解決しようとする課題】
【０００４】
しかしながら、前述の様な構成では、装置の内部に発光機能が設けられているため厚みが大きくなるという問題があった。また、前述の様な構成では、装置の前面に情報を表示する透過構造が設けられていることから、該装置の前面に更に反射構造を設けることが困難という問題があった。
【０００５】
そこで、本発明は前述の技術的な課題に鑑み、簡便な構造により装置の厚みを抑制することができ、  且つ表示部から光を透過させて出射することにより該表示部に表示された情報を外部から認識し易くさせるとともに、外部から照射された外来光を該外来光が照射された方向に反射させることができる標識灯の提供を目的とする。
【課題を解決するための手段】
【０００６】
前述の課題を解決すべく、本発明に係る標識灯は、光を発する光源部と、前記光源部に隣接し、側面から入射された前記光源部の光を主面から出射する導光部と、前記導光部の主面の１つである一主面に積層され、前記導光部の前記一主面から出射された光の一部を透過させ、且つ外部から照射された外来光を反射させる透過反射部と、前記透過反射部に積層され、所定の情報が表示され前記透過反射部からの光を透過させる表示部とを備え、前記導光部は、前記一主面又は他主面の少なくとも一面に点状の凹部がマトリクス状に形成され、前記透過反射部は、三角錐形状の凹部状の反射膜が形成された反射部と、前記反射部と前記反射部との間に設けられた透過部と、からなることを特徴とする。
【発明の効果】
【０００７】
本発明に係る標識灯によれば、簡便な構造により装置の厚みを抑制することができ、且つ表示部から光を透過させて出射することにより該表示部に表示された情報を外部から認識し易くさせるとともに、外部から照射された外来光を該外来光が照射された方向に反射させることができる。
【図面の簡単な説明】
【０００８】
【図１】本発明の第１の実施形態に係る光源部と導光部と透過反射部と表示部とを設けた標識灯を示す斜視図であり、（ａ）は標識灯を前方から示す斜視図、（ｂ）は標識灯を後方から示す斜視図である。
【図２】本発明の第１の実施形態に係る標識灯を示す断面図であり、図１に対応し、（ａ）は標識灯の各構成部材を一体に接合した状態で示す断面図、（ｂ）は標識灯の各構成部材を分解した状態で示す断面図である。
【図３】本発明の第１の実施形態に係る図１に図示した標識灯の一部を拡大して示す斜視図である。
【図４】本発明の第１の実施形態に係る更に反射部を設けた標識灯を示す斜視図である。
【図５】本発明の第１の実施形態に係る標識灯を示す断面図であり、図４に対応し、（ａ）は標識灯の各構成部材を一体に接合した状態で示す断面図、（ｂ）は標識灯の各構成部材を分解した状態で示す断面図である。
【図６】本発明の第１の実施形態に係る更に透過部を設けた標識灯を示す斜視図である。
【図７】本発明の第１の実施形態に係る標識灯３を示す断面図であり、図６に対応し、（ａ）は標識灯の各構成部材を一体に接合した状態で示す断面図、（ｂ）は標識灯の各構成部材を分解した状態で示す断面図である。
【図８】本発明の第１の実施形態に係る透過部及び反射部をそれぞれ設けた標識灯を示す斜視図である。
【図９】本発明の第１の実施形態に係る標識灯を示す断面図であり、図８に対応し、（ａ）は標識灯の各構成部材を一体に接合した状態で示す断面図、（ｂ）は標識灯の各構成部材を分解した状態で示す断面図である。
【図１０】本発明の第１の実施形態に係る透過部及び反射部をそれぞれ設け且つ該透過部及び該反射部と導光部との間に空間をそれぞれ設けた標識灯を示す斜視図である。
【図１１】本発明の第１の実施形態に係る標識灯を示す断面図であり、図１０に対応し、（ａ）は標識灯の各構成部材を一体に接合した状態で示す断面図、（ｂ）は標識灯の各構成部材を分解した状態で示す断面図である。
【図１２】本発明の第１の実施形態に係る透過部及び反射部をそれぞれ設け且つ該透過部及び該反射部と導光部との間に空間をそれぞれ設け更に表示部に表示された情報が輪郭に沿って切り抜かれている標識灯を示す斜視図であり、（ａ）は標識灯の全体を示す斜視図、（ｂ）は標識灯の表示部の表示板の部分を拡大して示す斜視図である。
【図１３】本発明の第１の実施形態に係る標識灯を示す断面図であり、図１２に対応し、（ａ）は標識灯の各構成部材を一体に接合した状態で示す断面図、（ｂ）は標識灯の各構成部材を分解した状態で示す断面図である。
【図１４】本発明の第１の実施形態に係る更に導光部を保持し且つ透過部及び反射部と導光部の間に空間を形成する保持部材が設けられた標識灯を示す斜視図である。
【図１５】本発明の第１の実施形態に係る標識灯を示す断面図であり、図１４に対応し、（ａ）は標識灯の各構成部材を一体に接合した状態で示す断面図、（ｂ）は標識灯の各構成部材を分解した状態で示す断面図である。
【図１６】本発明の第１の実施形態に係る外形が矩形状から成る標識灯を示す斜視図である。
【図１７】本発明の第１の実施形態に係る標識灯を示す断面図であり、図１６に対応し、（ａ）は標識灯の各構成部材を一体に接合した状態で示す断面図、（ｂ）は標識灯の各構成部材を分解した状態で示す断面図である。
【図１８】本発明の第１の実施形態に係る標識灯の代表的な光学系を示す模式図である。
【図１９】本発明の第２の実施形態に係る光源部と導光部と一対の透過反射部と一対の表示部とを設けた標識灯を示す斜視図であり、（ａ）は標識灯を前方から示す斜視図、（ｂ）は標識灯を後方から示す斜視図である。
【図２０】本発明の第２の実施形態に係る標識灯を示す断面図であり、図１９に対応し、（ａ）は標識灯の各構成部材を一体に接合した状態で示す断面図、（ｂ）は標識灯の各構成部材を分解した状態で示す断面図である。
【図２１】本発明の第２の実施形態に係る更に一対の透過部を設けた標識灯を示す斜視図である。
【図２２】本発明の第２の実施形態に係る標識灯を示す断面図であり、図２１に対応し、（ａ）は標識灯の各構成部材を一体に接合した状態で示す断面図、（ｂ）は標識灯の各構成部材を分解した状態で示す断面図である。
【図２３】本発明の第２の実施形態に係る一対の透過部を設け且つ該一対の透過部と導光部との間に空間をそれぞれ設けた標識灯を示す斜視図である。
【図２４】本発明の第２の実施形態に係る標識灯を示す断面図であり、図２３に対応し、（ａ）は標識灯の各構成部材を一体に接合した状態で示す断面図、（ｂ）は標識灯の各構成部材を分解した状態で示す断面図である。
【図２５】本発明の第２の実施形態に係る一対の透過部を設け且つ該一対の透過部と導光部との間に空間をそれぞれ設け更に一対の表示部に表示された情報が輪郭に沿って切り抜かれている標識灯を示す斜視図である。
【図２６】本発明の第２の実施形態に係る標識灯を示す断面図であり、図２５に対応し、（ａ）は標識灯の各構成部材を一体に接合した状態で示す断面図、（ｂ）は標識灯の各構成部材を分解した状態で示す断面図である。
【図２７】本発明の第２の実施形態に係る更に導光部を保持し且つ一対の透過部と導光部の間に空間を形成する保持部材が設けられた標識灯を示す斜視図である。
【図２８】本発明の第１の実施形態に係る標識灯を示す断面図であり、図２７に対応し、（ａ）は標識灯の各構成部材を一体に接合した状態で示す断面図、（ｂ）は標識灯の各構成部材を分解した状態で示す断面図である。
【図２９】本発明の第２の実施形態に係る外形が矩形状から成る標識灯を示す斜視図である。
【図３０】本発明の第２の実施形態に係る標識灯を示す断面図であり、図２９に対応し、（ａ）は標識灯の各構成部材を一体に接合した状態で示す断面図、（ｂ）は標識灯の各構成部材を分解した状態で示す断面図である。
【発明を実施するための形態】
【０００９】
以下、本発明の標識灯に係る好適な実施形態について、図面を参照しながら説明する。なお、本発明の標識灯は、以下の記述に限定されるものではなく、本発明の要旨を逸脱しない範囲において、適宜変更可能である。
【００１０】
また、以下の説明においては、最初に本発明の第１の実施形態に係る標識灯１乃至標識灯８について図１乃至図１８を参照しながら説明する。次に本発明の第２の実施形態に係る標識灯２０１乃至標識灯２０６について図１９及び図３０を参照しながら説明する。また本発明の第１及び第２の実施形態に係る標識灯１乃至標識灯８及び標識灯２０１乃至標識灯２０６に設けられた導光部の各導光板の製造方法について説明する。最後に本願発明に係る標識灯の構成と主な作用効果について請求項毎に説明する。
【００１１】
［第１の実施形態］
以下、本発明の第１の実施形態に係る標識灯１乃至標識灯８について、図１乃至図１８を参照しながら、具体的に説明する。
【００１２】
なお、第１の実施形態に係る標識灯１乃至標識灯８の説明においては、先ず図１乃至図１７を参照しながら各標識灯の構成について説明し、次に図１８を参照しながら代表的な標識灯の光学系について説明する。
【００１３】
第１の実施形態に係る標識灯１の構成に関し、該標識灯１は、光源部１０、導光部２０、透過反射部３０、及び表示部４０から構成されている。この様な標識灯１は、例えば道路に設けられ交通規制等の情報を表示する。以下、標識灯１の各構成について、図１乃至図３を参照しながら、順に説明する。
【００１４】
第１の実施形態に係る標識灯１を構成する光源部１０は、光を発する。この様な光源部１０は、光源１１と保持部材１２から構成されている。ここで、光源部１０の光源１１には、例えば、表面実装型の発光ダイオード（ＬＥＤ：ｌｉｇｈｔ  ｅｍｉｔｔｉｎｇ  ｄｉｏｄｅ）を用いる。また、光源１１は、例えば、後述する保持部材１２の内周面１２ａに、所定の間隔で複数個配列されている。なお、光源１１は、白色のＬＥＤに限定されることはなく、例えば白色、赤色、橙色、黄色、緑色、青色、藍色、又は紫色のいずれかの色若しくはそれらの色の組み合わせから成るＬＥＤで構成しても良い。また、光源１１は、紫外域又は赤外域の光を発するＬＥＤで構成しても良い。同様に、光源１１は、ＬＥＤに限定されることはなく、例えば、有機発光ダイオード、蛍光管、冷陰極管、又はネオン管で構成しても良い。
【００１５】
また、光源部１０に関し、該光源部１０の保持部材１２は、例えばアルミニウムから成り、円筒形状に形成されている。ここで、例えば、光源１１を所定の間隔で複数実装したフレキシブルプリント基板が、保持部材１２の内周面１２ａに沿って湾曲して配設されている。また、保持部材１２の外周面に沿って突起状に形成された一端部１２ｂは、後述する表示部４０の表示板４１を保持している。また、保持部材１２の外周面に沿って突起状に形成され一端部１２ｂに対向して設けられた他端部１２ｃは、後述する導光部２０の導光板２１を保持している。この様な保持部材１２は、例えば、図２（ａ）に示すように、左右に分割して形成した上で、ネジ留め又は接着固定により接合する構成とする。
【００１６】
第１の実施形態に係る標識灯１を構成する導光部２０は、光源部１０に隣接し、側面２１ｅから入射された光源部１０の光を主面から出射する。この様な導光部２０は、導光板２１から構成されている。また、導光板２１の一主面２１ａは、後述する透過反射部３０の透過反射板３１に積層されている。ここで、導光部２０の導光板２１は、例えば、透明なアクリル樹脂板から成る。なお、導光板２１は、透明な樹脂板に限定されることは無く、着色された樹脂板を用いても良い。また、導光板２１には、例えば可視域の光を照射されることにより拡散光を発する微粒子状の拡散部材を添加した樹脂板を用いても良い。同様に、導光板２１には、例えば紫外域や可視域の光を照射されることにより蛍光を発する蛍光剤を塗布又は添加した樹脂板を用いても良い。また、導光板２１の一主面２１ａ及び該一主面２１ａに対向した他主面２１ｃに、防水、防汚、及び防塵等の機能を有した図示せぬシリコーンコーティング剤又は硝子コーティング剤を塗布、もしくは防水、防汚、及び防塵等の機能を有した図示せぬ透明樹脂を被覆しても良い。さらに、導光板２１の他主面２１ｃに、例えば、アルミニウムの反射膜を形成しても良い。なお、導光板２１の他主面２１ｃから出射された光は、標識灯１の周囲を照明する照明光として、用いることができる。
【００１７】
また、導光部２０に関し、該導光部２０の導光板２１の一主面２１ａ又は他主面２１ｃに、光源部１０の光を拡散光として導出させる凹状又は凸状のパターン２１ｂ又はパターン２１ｄを形成しても良い。この様なパターン２１ｂ及びパターン２１ｄは、例えば、１ｍｍから６ｍｍの間隔でマトリクス状に形成されている。ここで、導光板２１の一主面２１ａに形成された複数のパターン２１ｂにおいて発生した拡散光の大部分は、略均一な面発光の光として導光板２１の他主面２１ｃから導出される。また、導光板２１の他主面２１ｃに形成された複数のパターン２１ｄにおいて発生した拡散光の大部分は、略均一な面発光の光として導光板２１の一主面２１ａから導出される。
【００１８】
第１の実施形態に係る標識灯１を構成する透過反射部３０は、導光部２０の導光板２１の一主面２１ａに積層され、該導光部２０の導光板２１の一主面２１ａから出射された光の一部を透過させ、且つ外部から照射された外来光を反射させる。具体的には、図３に示す透過反射部３０の透過反射板３１において、透過部３１ｂで導光板２１の一主面２１ａから出射された光の一部を透過させ、反射部３１ａで外部から照射された外来光を反射させる。ここで、透過反射板３１の反射部３１ａは、六角形から成り、隣接する反射部３１ａとの間に所定の隙間を設けて、マトリクス状に形成されている。なお、互いに隣接する反射部３１ａと反射部３１ａとの間の隙間が、透過部３１ｂに相当する。この様な透過反射部３０の透過反射板３１には、例えば、住友スリーエム株式会社製の高輝度反射シートを用いる。ここで、透過反射板３１の反射部３１ａには、互いに直交する様に設けられ三角錐形状から成る反射ミラーが密集して複数形成されている。したがって、透過反射板３１によれば、外部から反射部３１ａに照射された外来光を、該外来光が照射された方向に反射させる。一方、透過反射板３１において、導光部２０の導光板２１から出射された光を、透過部３１ｂから出射させる。
【００１９】
また、透過反射部３０に関し、該透過反射部３０の透過反射板３１は、上記の構成に限定されることはない。具体的には、透過反射部３０の透過反射板を、例えば、透明な板状の部材に、アルミニウムから成る反射膜がマトリクス状に形成された構成としても良い。この様な構成の透過反射板では、反射膜が形成されていない透過部では光が透過し、且つ反射膜が形成された反射部では光が反射する。また、上記の透過反射板の透過部に、反射防止膜を形成しても良い。該透過反射板によれば、反射膜が形成された反射部は、反射ミラーとして機能するため、外部から反射部に照射された外来光を反射させる。一方、透過反射板において、透過部では、透過板として機能するため、導光部２０の導光板２１から出射された光を透過させる。なお、外部から透過反射部３０に照射された外来光が、標識灯１に対して所定の角度以内で入射された場合には、該外来光の発光源に近接した位置に反射される。また、外部から透過反射部３０に照射された外来光が、標識灯１に対して大きな角度で入射された場合でも、外来光の発光源と標識灯１との距離が十分に短ければ、該外来光の発光源に近接した位置に反射される。
【００２０】
さらに、透過反射部３０に関し、該透過反射部３０の透過反射板３１は、上記の構成に限定されることはない。具体的には、透過反射部３０の透過反射板を、透明な板状の部材の一主面又は一主面に対向して設けられた他主面に、三角錐形状の凹部を形成した上で、該凹部に例えばアルミニウムから成る反射膜を形成する構成としても良い。この様な構成の透過反射板では、反射膜が形成されていない一主面又は他主面では光が透過し、且つ反射膜が形成された凹部では光が反射する。また、上記の透過反射板の一主面又は他主面に、反射防止膜を形成しても良い。この様な透過反射板によれば、三角錐形状の凹部は、外部から反射部に照射された外来光を、該外来光が照射された方向に反射させる反射ミラーとして機能する。一方、透過反射板において、三角錐形状の凹部が形成されていない一主面又は他主面は、透過板として機能するため、導光部２０の導光板２１から出射された光を透過させる。
【００２１】
標識灯１を構成する表示部４０は、透過反射部３０に積層され、所定の情報が表示され透過反射部３０からの光を透過させる。この様な表示部４０は、表示板４１から構成されている。また、表示板４１は、透過反射部３０の透過反射板３１に積層されている。ここで、表示部４０の表示板４１は、例えば、着色された又は無色のアクリル樹脂板から成る。また、表示板４１には、例えば可視域の光を照射されることにより拡散光を発する微粒子状の拡散部材を添加した樹脂板を用いても良い。同様に、表示板４１には、例えば紫外域や可視域の光を照射されることにより蛍光を発する蛍光剤を塗布又は添加した樹脂板を用いても良い。また、表示板４１には、例えば、「○□△」から成る情報が表示されている。具体的には、「○□△」から成る情報は、例えば、飲食店等の店舗、駐車場、及びガソリンスタンド等の存在を報知する情報に相当する。また、「○□△」から成る情報は、例えば、交通規制等を報知する情報に相当する。ここで、透過反射部３０の透過反射板３１から出射された光は、「○□△」から成る情報が表示された表示板４１を透過して外部に出射され、該「○□△」に係る情報が外部から認識される。
【００２２】
また、表示部４０に関し、表示板４１の透過性に係る仕様について、より具体的に説明する。表示板４１は、例えば、透明な材質から成る平板に、「○□△」から成る情報が印刷されている。したがって、標識灯１の外部から表示板４１に入射した外来光は、透過反射部３０の透過反射板３１の反射部３１ａで反射された後に表示板４１から出射されることから、反射光として視認することができる。一方、標識灯１の内部から表示板４１に入射した光に相当する、導光部２０の導光板２１から出射した後に透過反射部３０の透過反射板３１の透過部３１ｂから出射した光は、「○□△」から成る情報を反映した状態で表示板４１から外部に出射されることから、出射光に含まれた「○□△」から成る情報を視認することができる。ここで、表示板４１を、「○□△」の情報部分を透明とし、且つ「○□△」の情報以外の部分を着色した材質から成る平板で構成すると、「○□△」の情報部分とそれ以外の部分の透過率及び反射率が大きく異なることから、該「○□△」情報をより視認し易くなる。さらに、表示板４１を、「○□△」の情報部分を切り抜き、且つ「○□△」の情報以外の部分を着色した材質から成る平板で構成すると、「○□△」の情報部分とそれ以外の部分の透過率及び反射率が非常に異なることから、該「○□△」情報を更に視認し易くなる。なお、図１等に示す標識灯１において、表示板４１は、「○□△」の情報部分とそれ以外の部分を透明に表していない。
【００２３】
第１の実施形態に係る標識灯２の構成に関し、該標識灯２は、前述した標識灯１の光源部１０、導光部２０、透過反射部３０、及び表示部４０に加えて、反射部５０から構成されている。この様な標識灯２は、標識灯１と同様に、例えば道路に設けられ交通規制等の情報を表示する。以下、標識灯２に特有の構成について、図４及び図５を参照しながら、説明する。
【００２４】
標識灯２は、反射部５０が、導光部２０の導光板２１の一主面２１ａに対向して設けられた他主面２１ｃに隣接し、導光部２０の他主面２１ｃから出射された光を反射させる。この様な反射部５０は、反射板５１から構成されている。また、反射板５１は、例えば、アルミニウムから成り、円盤状に形成されている。ここで、標識灯２に、反射部５０の反射板５１を設けることにより、導光部２０の他主面２１ｃから出射された光を反射させ、その反射した光の一部を、表示部４０の表示板４１から出射させることができる。したがって、標識灯２に、反射部５０の反射板５１を設けることにより、導光板２１の一主面２１ａから出射した光に加えて、導光板２１の他主面２１ｃから出射した光も、表示板４１に設けられた情報を表示させることができる。
【００２５】
第１の実施形態に係る標識灯３の構成に関し、該標識灯３は、前述した標識灯１の光源部１０、導光部２０、透過反射部３０、及び表示部４０に加えて、透過部６０から構成されている。この様な標識灯３は、標識灯１と同様に、例えば道路に設けられ交通規制等の情報を表示する。以下、標識灯３に特有の構成について、図６及び図７を参照しながら、説明する。
【００２６】
標識灯３は、透過部６０が、導光部２０と透過反射部３０との間に設けられ、導光部２０から出射された光を透過させ透過反射部３０に入射させる。この様な透過部６０は、透過板６１から構成されている。また、透過板６１は、例えば、アクリル樹脂から成り、円盤状に形成されている。ここで、標識灯３に、透過部６０の透過板６１を設けることにより、導光部２０の一主面２１ａから出射された拡散光を、該透過板６１で十分に拡散させることができる。特に、標識灯３に、透過部６０の透過板６１を設けることにより、導光部２０の他主面２１ｃに形成されたパターン２１ｄで発生した拡散光が、十分に拡散してから透過反射部３０の透過反射板３１に入射するため、光の斑を抑制することができる。したがって、標識灯３に、透過部６０の透過板６１を設けることにより、表示部４０の表示板４１からより均一な光を出射させることができる。また、透過板６１は、透過反射部３０を支持する支持部材としての機能を備えている。具体的には、透過板６１は、例えば薄膜状から成り粘着層を有した透過反射部３０を接合して支持する。
【００２７】
標識灯４の構成に関し、該標識灯４は、前述した標識灯１の光源部１０、導光部２０、透過反射部３０、及び表示部４０に加えて、前述した標識灯２の反射部５０、及び前述した標識灯３の透過部６０を組み合わせて構成されている。この様な標識灯４は、標識灯１と同様に、例えば道路に設けられ交通規制等の情報を表示する。以下、標識灯４の構成について、図８及び図９を参照しながら、説明する。
【００２８】
標識灯４は、反射部５０の反射板５１が、導光部２０の導光板２１の一主面２１ａに対向して設けられた他主面２１ｃに隣接し、導光部２０の他主面２１ｃから出射された光を反射させる。さらに、標識灯４では、透過部６０の透過板６１が、導光部２０と透過反射部３０との間に設けられ、導光部２０から出射された光を透過させ透過反射部３０に入射させる。したがって、標識灯４に、反射部５０の反射板５１を設けることにより、導光板２１の一主面２１ａから出射した光に加えて、導光板２１の他主面２１ｃから出射した光も、表示板４１に設けられた情報を表示させることができる。さらに、標識灯４に、透過部６０の透過板６１を設けることにより、表示部４０の表示板４１からより均一な光を出射させることができる。
【００２９】
標識灯５の構成に関し、該標識灯５は、前述した標識灯４の構成に加えて、導光部２０と反射部５０との間、及び導光部２０と透過部６０との間に、それぞれ空間が設けられている。この様な標識灯５は、標識灯４と同様に、例えば道路に設けられ交通規制等の情報を表示する。以下、標識灯５の構成について、図１０及び図１１を参照しながら、説明する。
【００３０】
標識灯５は、導光部２０と反射部５０との間に、離間部７０の離間板７１が積層されることにより、空間が設けられている。同様に、標識灯５では、導光部２０と透過部６０との間に、離間部７０の離間板７２が積層されることにより、空間が設けられている。この様な離間部７０の離間板７１及び離間板７２は、例えば、アルミニウムから成り、内部に空間を有した円筒形状から形成されている。ここで、標識灯５に、離間部７０の離間板７１及び離間板７２を設けることにより、導光部２０の一主面２１ａから出射された拡散光を、導光部２０と反射部５０との間、及び導光部２０と透過部６０との間で、それぞれ十分に拡散させることができる。特に、標識灯５に、離間部７０の離間板７１を設けることにより、導光部２０の他主面２１ｃに形成されたパターン２１ｄで発生した拡散光が、導光部２０と透過部６０との間で十分に拡散してから、透過部６０の透過板６１に入射するため、光の斑を抑制することができる。したがって、標識灯５に、離間部７０の離間板７１及び離間板７２を設けることにより、表示部４０の表示板４１からより均一な光を出射させることができる。
【００３１】
第１の実施形態に係る標識灯６の構成に関し、該標識灯６は、前述した標識灯５の構成の応用例に相当し、表示部４０の表示板４２に表示された例えば「○□△」から成る情報が輪郭に沿って切り抜かれている。この様な標識灯６は、標識灯５と同様に、例えば、道路に設けられ、飲食店等の店舗、駐車場、及びガソリンスタンド等の存在を報知する情報に相当する。以下、標識灯６の構成について、図１２及び図１３を参照しながら、説明する。
【００３２】
標識灯６は、特に図１２（ｂ）に示すように、表示部４０の表示板４２に表示された例えば「○□△」から成る情報が、輪郭に沿って切り抜かれている。なお、表示板４２は、例えば青色に着色されている。この様な構成の標識灯６によれば、例えば車両のヘッドライトの光が表示部４０の表示板４２に照射された場合に、表示板４２の「○□△」から成る情報の部分が、該表示板４２の他の部分と比較して、透過反射部３０の透過反射板３１からの反射率が高くなる。したがって、車両を運転している運転手や同乗者に対して、「○□△」から成る情報を認識させ易くなる。
【００３３】
第１の実施形態に係る標識灯７の構成に関し、該標識灯７は、前述した標識灯５の構成の応用例に相当し、各構成部材の保持方法に特徴を有している。この様な標識灯７は、標識灯５と同様に、例えば道路に設けられ交通規制等の情報を表示する。以下、標識灯７の構成について、図１４及び図１５を参照しながら、説明する。
【００３４】
標識灯７は、光源部８０が光源８１と保持部材８２から構成されている。また、光源部８０の光源８１は、前述した光源部１０の光源１１と同様の仕様である。また、光源部８０の保持部材８２は、光源８１を所定の配列で複数設け、前述した光源部１０の保持部材１２と基本的に同様の仕様であるが、導光部２０の導光板２１のみを保持している。具体的には、光源部８０の保持部材８２は、一端部８２ｂと他端部８２ｃで、導光板２１を保持し、且つ離間部７０の離間板７１及び離間板７２の機能を兼ねている。さらに、標識灯７は、筐体部９０の筐体９１が、各構成部材を一体に保持している。具体的には、筐体部９０の筐体９１は、例えばアルミニウムから成り、円筒形状に形成されている。また、筐体９１の外周面に沿って突起状に形成された一端部９１ｂは、表示部４０の表示板４１に当接している。また、筐体９１の外周面に沿って突起状に形成され一端部９１ｂに対向して設けられた他端部９１ｃは、反射部５０の反射板５１に当接している。この様な筐体９１は、例えば、図１５（ａ）に示すように、左右に分割して形成した上で、ネジ留め又は接着固定により接合する構成とする。
【００３５】
第１の実施形態に係る標識灯８の構成に関し、該標識灯８は、前述した標識灯５の構成の変形例に相当し、外形形状が矩形状から形成されている。この様な標識灯８は、標識灯５と同様に、例えば道路に設けられ交通規制等の情報を表示する。以下、標識灯８の構成について、図１６及び図１７を参照しながら、説明する。
【００３６】
標識灯８は、光源部１０の保持部材１３、導光部２０の導光板２２、透過反射部３０の透過反射板３２、表示部４０の表示板４３、反射部５０の反射板５２、及び透過部６０の透過板６２が、それぞれ矩形状から形成されている。なお、標識灯８の外形形状は、例えば、三角形の様な多角形状としても良い。この様に、標識灯８の外形形状は、特に限定されるものではなく、ユーザの要望等に応じて、適宜決定できる。
【００３７】
次に、第１の実施形態に係る複数の標識灯に係る代表的な光学系について、図１８を参照しながら、具体的に説明する。
【００３８】
複数の標識灯に係る代表的な光学系に関し、図１８には、反射板５１、導光板２１、離間板７１、透過板６１、透過反射板３１、及び表示板４１の順で積層された標識灯が示されている。ここで、導光板２１の他主面２１ｃに形成されたパターン２１ｄに入射された光Ｌ１１は、該パターン２１ｄで正反射された光Ｌ１２として透過反射板３１の透過部３１ｂを透過する。また、導光板２１の一主面２１ａに形成されたパターン２１ｂに入射された光Ｌ２１は、該パターン２１ｂで正反射された光Ｌ２２として導光板２１の他主面２１ｃに入射した後、該他主面２１ｃで正反射された光Ｌ２３として透過反射板３１の透過部３１ｂを透過する。また、導光板２１の内部を多重反射した光Ｌ３１は、該導光板２１の一主面２１ａで正反射された光Ｌ３２としてパターン２１ｂに反射され、該パターン２１ｂで正反射された光Ｌ３３として他主面２１ｃに反射した後、該他主面２１ｃで正反射された光Ｌ３４として透過反射板３１の透過部３１ｂを透過する。また、導光板２１の他主面２１ｃに形成されたパターン２１ｄに入射された光Ｌ４１は、該パターン２１ｄで正反射された光Ｌ４２として透過反射板３１の反射部３１ａの裏面に入射し、該反射部３１ａの裏面で正反射された光Ｌ４３として導光板２１の他主面２１ｃに反射した後、光Ｌ４４として透過反射板３１の透過部３１ｂを透過する。
【００３９】
また、複数の標識灯に係る代表的な光学系に関し、導光板２１で発生した拡散光は、透過反射板３１の透過部３１ｂを透過するか、透過反射板３１の反射部３１ａの裏面で正反射して各構成部材の内部を多重反射した後に透過反射板３１の透過部３１ｂを透過する。また、透過板６１及び離間板７１では、導光板２１から導出された拡散光をさらに拡散させている。なお、図１８では、各構成部材の当接面での光の屈折の影響を無視している。ここで、外部から照射された外来光Ｌ５１は、互いに直交する様に設けられ三角錐形状から成る反射ミラーが密集して複数形成された透過反射板３１の反射部３１ａの一面に入射し、該反射部３１ａの一面で正反射された光Ｌ５２として反射部３１ａの他面に入射された後、該反射部３１ａの他面で正反射された光Ｌ５３として外来光Ｌ５１が照射された方向に反射される。
【００４０】
以上、第１の実施形態に係る標識灯によれば、簡便な構造により装置の厚みを抑制することができ、且つ表示部から光を透過させて出射することにより該表示部に表示された情報を外部から認識し易くさせるとともに、外部から照射された外来光を該外来光が照射された方向に反射させることができる。特に、片面発光の標識灯として機能する。
【００４１】
また、例えば、第１の実施形態に係る標識灯２によれば、反射部５０の反射板５１を設けることにより、導光部２０の他主面２１ｃから出射された光を反射させ、その反射した光の一部を、表示部４０の表示板４１から出射させることができる。したがって、第１の実施形態に係る標識灯２によれば、導光板２１の一主面２１ａから出射した光に加えて、導光板２１の他主面２１ｃから出射した光も、表示板４１に設けられた情報を表示させることができる。
【００４２】
また、例えば、第１の実施形態に係る標識灯３によれば、透過部６０の透過板６１を設けることにより、導光部２０の一主面２１ａから出射された拡散光を、該透過板６１で十分に拡散させることができる。特に、導光部２０の他主面２１ｃに形成されたパターン２１ｄで発生した拡散光が、十分に拡散してから透過反射部３０の透過反射板３１に入射するため、光の斑を抑制することができる。したがって、第１の実施形態に係る標識灯３によれば、表示部４０の表示板４１からより均一な光を出射させることができる。
【００４３】
また、例えば、第１の実施形態に係る標識灯５によれば、離間部７０の離間板７１及び離間板７２を設けることにより、導光部２０の一主面２１ａから出射された拡散光を、導光部２０と反射部５０との間、及び導光部２０と透過部６０との間で、それぞれ十分に拡散させることができる。特に、離間部７０の離間板７１を設けることにより、導光部２０の他主面２１ｃに形成されたパターン２１ｄで発生した拡散光が、導光部２０と透過部６０との間で十分に拡散してから、透過部６０の透過板６１に入射するため、光の斑を抑制することができる。したがって、第１の実施形態に係る標識灯５によれば、離間部７０の離間板７１及び離間板７２を設けることにより、表示部４０の表示板４１からより均一な光を出射させることができる。
【００４４】
また、例えば、第１の実施形態に係る標識灯１によれば、透過反射部３０において、反射膜が形成された反射部は、反射ミラーとして機能するため、外部から反射部に照射された外来光を反射させることができる。一方、透過反射板において、透過部では、透過板として機能するため、導光部２０の導光板２１から出射された光を透過させることができる。なお、外部から透過反射部３０に照射された外来光が、標識灯１に対して所定の角度以内で入射された場合には、該外来光の発光源に近接した位置に反射させることができる。また、外部から透過反射部３０に照射された外来光が、標識灯１に対して大きな角度で入射された場合でも、外来光の発光源と標識灯１との距離が十分に短ければ、該外来光の発光源に近接した位置に反射させることができる。
【００４５】
また、例えば、第１の実施形態に係る標識灯１によれば、透過反射部３０において、三角錐形状の凹部は、外部から反射部に照射された外来光を該外来光が照射された方向に反射させる反射ミラーとして機能させることができる。一方、透過反射板において、三角錐形状の凹部が形成されていない一主面又は他主面は、透過板として機能するため、導光部２０の導光板２１から出射された光を透過させることができる。
【００４６】
また、例えば、第１の実施形態に係る標識灯１によれば、導光部２０の他主面に形成された反射膜を、反射部５０として機能させることができる。
【００４７】
また、例えば、第１の実施形態に係る標識灯１によれば、導光板２１の一主面２１ａに形成された複数のパターン２１ｂにおいて発生した拡散光の大部分は、略均一な面発光の光として導光板２１の他主面２１ｃから導出させることができる。また、導光板２１の他主面２１ｃに形成された複数のパターン２１ｄにおいて発生した拡散光の大部分は、略均一な面発光の光として導光板２１の一主面２１ａから導出させることができる。
【００４８】
［第２の実施形態］
以下、本発明の第２の実施形態に係る標識灯２０１乃至標識灯２０６について、図１９乃至図３０を参照しながら、具体的に説明する。
【００４９】
なお、本発明の第２の実施形態に係る標識灯２０１乃至標識灯２０６は、導光部２０の一主面と他主面の両方に、一対の透過反射部１００及び一対の表示部１１０がそれぞれ設けられていることに特徴を有している。また、それ以外の第２の実施形態に係る構成は、第１の実施形態で述べた構成と同様である。そこで、第２の実施形態においては、第１の実施形態と異なる構成について中心に説明する。
【００５０】
本発明の第２の実施形態に係る標識灯２０１は、図１９及び図２０に示すように、前述した図１等に示す第１の実施形態に係る標識灯１の応用例に相当し、装置の両面から情報を表示することができる。具体的には、導光部２０の一主面２０ａに、一対の透過反射部１００の透過反射板１０１が積層されている。同様に、導光部２０の他主面２０ｃに、一対の透過反射部１００の透過反射板１０２が積層されている。なお、一対の透過反射部１００の透過反射板１０１及び透過反射板１０２は、透過反射部３０の透過反射板３１と同様の仕様である。さらに、透過反射板１０１に、一対の表示部１１０の表示板１１１が積層されている。ここで、表示板１１１には、道路標識において一般的に「通行可」を示す矢印が表示されている。同様に、透過反射板１０２に、一対の表示部１１０の表示板１１２が積層されている。ここで、表示板１１２には、道路標識において一般的に「進入禁止」を示す横線が表示されている。なお、一対の表示部１１０の表示板１１１及び表示板１１２は、表示部４０の表示板４１と同様の仕様である。
【００５１】
したがって、標識灯２０１を、例えば、車両が対向して往来する車道に設置し、一方から往来する車両に対しては「通行可」との情報を表示するとともに、反対方向から往来する車両に対しては「進入禁止」との情報を表示する。なお、「通行可」との情報が表示された表示板１１１を透過した光は、透過反射板１０２に遮光されることから、表示板１１２を透過して出射することはない。同様に、「進入禁止」との情報が表示された表示板１１２を透過した光は、透過反射板１０１に遮光されることから、表示板１１１を透過して出射することはない。すなわち、標識灯２０１において、「通行可」の情報が表示された表示板１１１越しに、「進入禁止」との情報が表示された表示板１１２が裏映りして視認されることは無い。同様に、標識灯２０１において、「進入禁止」との情報が表示された表示板１１２越しに、「通行可」の情報が表示された表示板１１１が裏映りして視認されることは無い。したがって、標識灯２０１では、表示する情報が全く異なる表示板１１１及び表示板１１２を対向して設けることができる。
【００５２】
本発明の第２の実施形態に係る標識灯２０２は、図２１及び図２２に示すように、前述した図６等に示す第１の実施形態に係る標識灯３の応用例に相当し、装置の両面から情報を表示することができる。具体的には、導光部２０の一主面２０ａと、一対の透過反射部１００の透過反射板１０１との間に、一対の透過部１２０の透過板１２１が積層されている。同様に、導光部２０の他主面２０ｃと、一対の透過反射部１００の透過反射板１０２との間に、一対の透過部１２０の透過板１２２が積層されている。なお、一対の透過部１２０の透過板１２１及び透過板１２２は、透過部６０の透過板６１と同様の仕様である。
【００５３】
本発明の第２の実施形態に係る標識灯２０３は、図２３及び図２４に示すように、前述した図１０等に示す第１の実施形態に係る標識灯５の応用例に相当し、装置の両面から情報を表示することができる。具体的には、標識灯２０３は、導光部２０の導光板２１と、一対の透過部１２０の透過板１２１及び透過板１２２との間に、離間部７０の離間板７１及び離間板７２が積層されることにより、空間がそれぞれ設けられている。
【００５４】
本発明の第２の実施形態に係る標識灯２０４は、図２５及び図２６に示すように、前述した図２３等に示す標識灯２０３の応用例に相当し、装置の両面から情報を表示することができる。具体的には、標識灯２０４は、一対の表示部１１０の表示板１１３に表示された「通行可」を示す矢印が、輪郭に沿って切り抜かれている。同様に、一対の表示部１１０の表示板１１４に表示された「進入禁止」を示す横線が、輪郭に沿って切り抜かれている。なお、表示板１１３及び表示板１１４は、例えば赤色に着色されている。この様な構成の標識灯２０４によれば、例えば車両のヘッドライトの光が一対の表示部１１０の表示板１１４に照射された場合に、表示板１１４の「進入禁止」から成る情報の部分が、該表示板１１４の他の部分と比較して、一対の透過反射部１００の透過反射板１０２からの反射率が高くなる。したがって、車両を運転している運転手や同乗者に対して、表示板１１４に表示された「進入禁止」から成る情報を認識させ易くなる。
【００５５】
本発明の第２の実施形態に係る標識灯２０５は、図２７及び図２８に示すように、前述した図１４等に示す標識灯７の応用例に相当し、装置の両面から情報を表示することができる。具体的には、標識灯２０５は、光源部８０の保持部材８２は、光源８１を所定の配列で複数設け、導光部２０の導光板２１のみを保持している。さらに、標識灯７は、筐体部９０の筐体９１が、各構成部材を一体に保持している。また、筐体９１の外周面に沿って突起状に形成された一端部９１ｂ及び他端部９１ｃは、一対の表示部４０の表示板４１及び表示板４２に当接している。
【００５６】
本発明の第２の実施形態に係る標識灯２０６は、図２９及び図３０に示すように、前述した図１６等に示す標識灯８の変形例に相当し、装置の両面から情報を表示することができる。また、標識灯２０６の構成部材は、外形形状を除いて、図２３等に示す標識灯２０３と同様である。ここで、標識灯２０６は、光源部１０の保持部材１４、導光部２０の導光板２２、一対の透過反射部１００の透過反射板１０３と透過反射板１０４、及び一対の表示部１１０の表示板１１５及び表示板１１６が、それぞれ矩形状から形成されている。なお、標識灯２０６の外形形状は、例えば、三角形の様な多角形状としても良い。この様に、標識灯２０６の外形形状は、特に限定されるものではなく、ユーザの要望等に応じて、適宜決定できる。
【００５７】
以上、第２の実施形態に係る標識灯によれば、第１の実施形態に係る標識灯と同様に、簡便な構造により装置の厚みを抑制することができ、且つ表示部から光を透過させて出射することにより該表示部に表示された情報を外部から認識し易くさせるとともに、外部から照射された外来光を該外来光が照射された方向に反射させることができる。特に、両面発光の標識灯として機能する。
【００５８】
具体的には、例えば、標識灯２０１を、例えば、車両が対向して往来する車道に設置し、一方から往来する車両に対しては「通行可」との情報を表示するとともに、反対方向から往来する車両に対しては「進入禁止」との情報を表示する。なお、「通行可」との情報が表示された表示板１１１を透過した光は、透過反射板１０２に遮光されることから、表示板１１２を透過して出射することはない。同様に、「進入禁止」との情報が表示された表示板１１２を透過した光は、透過反射板１０１に遮光されることから、表示板１１１を透過して出射することはない。すなわち、標識灯２０１において、「通行可」の情報が表示された表示板１１１越しに、「進入禁止」との情報が表示された表示板１１２が裏映りして視認されることは無い。同様に、標識灯２０１において、「進入禁止」との情報が表示された表示板１１２越しに、「通行可」の情報が表示された表示板１１１が裏映りして視認されることは無い。したがって、標識灯２０１では、表示する情報が全く異なる表示板１１１及び表示板１１２を対向して設けることができる。
【００５９】
また、本発明の第１及び第２の実施形態に係る標識灯１乃至標識灯８及び標識灯２０１乃至標識灯２０６に設けられた導光部２０の各導光板の製造方法について、具体的に説明する。
【００６０】
導光部２０の導光板の製造方法には、例えば超音波加工、加熱加工、切削加工、レーザ加工、成型加工、及びシルク印刷加工を用いることができる。以下、導光板の各製造方法について説明する。超音波加工では、導光板の主面に当接させた超音波加工用ホーンの超音波の振動を用いて、導光板の主面を部分的に溶融させることにより、該主面に凹状のパターンを形成する。また、加熱加工では、導光板の主面に当接させた加工具の熱を用いて、導光板の主面を部分的に溶融させることにより、該主面に凹状のパターンを形成する。同様に、切削加工では、導光板の主面に当接しながら回転又は付勢させた切削工具を用いて、導光板の主面を部分的に削り取ることにより、該主面に凹状のパターンを形成する。同様に、レーザ加工では、導光板の主面に集光させたレーザ光の熱を用いて、導光板の主面を部分的に溶融させることにより、該主面に凹状のパターンを形成する。同様に、成型加工では、成型する導光板の外形形状を反映させた形状を金型の内部に形成し、例えば射出成型機に装着した金型に対して加熱して軟化させた樹脂を注入してから、該樹脂を冷却させることにより、導光板の主面に凹状のパターン、凸状のパターン、又は凹状及び凸状のパターンを形成する。
【００６１】
また、導光部２０の導光板の製造方法に関し、シルク印刷加工では、導光板の主面に対して所定の孔が開口した版を当接させ、孔を介して硬化性の樹脂を主面に付着させて、該主面を部分的に樹脂で被覆させることにより、該主面に凸状のパターンを形成する。また、成型加工又はシルク印刷加工に用いる導光板の基材である樹脂に、例えば拡散光を発する微粒子状の拡散部材を添加しても良い。同様に、上述した超音波加工、加熱加工、切削加工、又はレーザ加工を行う導光板の基材である樹脂に、例えば拡散光を発する微粒子状の拡散部材を添加したものを用いても良い。なお、上述した超音波加工、加熱加工、切削加工、レーザ加工、成型加工、及びシルク印刷加工を組み合わせて導光板を形成しても良い。具体的には、例えば成型加工により導光板の外形形状のみを形成した上で、例えば超音波加工により導光板の主面に凹状のパターンを形成しても良い。同様に、例えば成型加工により導光板の外形形状のみを形成した上で、例えばシルク印刷加工により導光板の主面に凸状のパターンを形成しても良い。
【００６２】
最後に、本願発明に係る標識灯の構成と主な作用効果について、請求項毎に、具体的に説明する。
【００６３】
請求項１に記載の標識灯１乃至８は、光を発する光源部１０と、光源部１０に隣接し、側面から入射された光源部１０の光を主面から出射する導光部２０と、導光部２０の主面の１つである一主面に積層され、導光部２０の一主面から出射された光の一部を透過させ、且つ外部から照射された外来光を反射させる透過反射部３０と、透過反射部３０に積層され、所定の情報が表示され透過反射部３０からの光を透過させる表示部４０とを備え、導光部２０は、一主面又は他主面の少なくとも一面に点状の凹部がマトリクス状に形成され、透過反射部３０は、三角錐形状の凹部状の反射膜が形成された反射部３１ａと、反射部３１ａと反射部３１ａとの間に設けられた透過部３１ｂと、からなることを特徴としている。
【００６４】
この様な請求項１に記載の標識灯１乃至８によれば、簡便な構造により装置の厚みを抑制することができ、且つ表示部から光を透過させて出射することにより該表示部に表示された情報を外部から認識し易くさせるとともに、外部から照射された外来光を該外来光が照射された方向に反射させることができる。特に、片面発光の標識灯として機能する。また、この様な請求項１に記載の標識灯１乃至８によれば、導光部２０の一主面又は他主面の少なくとも一面に点状の凹部がマトリクス状に形成されているため当該凹部で発生した複数の拡散光を、略均一な面発光の光として導光部２０から導出させることができる。さらに、この様な請求項１に記載の標識灯１乃至８によれば、透過反射部３０において、反射膜が形成された反射部３１ａは、反射ミラーとして機能するため、外部から反射部３１ａに照射された外来光を反射させることができる。一方、透過反射部３０において、透過部３１ｂでは、透過板として機能するため、導光部２０の導光板２１から出射された光を透過させることができる。なお、外部から透過反射部３０に照射された外来光が、標識灯１に対して所定の角度以内で入射された場合には、該外来光の発光源に近接した位置に反射させることができる。また、外部から透過反射部３０に照射された外来光が、標識灯１に対して大きな角度で入射された場合でも、外来光の発光源と標識灯１との距離が十分に短ければ、該外来光の発光源に近接した位置に反射させることができる。
【００６５】
請求項２に記載の標識灯２、４、５、６、７、及び８は、請求項１に従属し、導光部２０の一主面に対向して設けられた他主面に隣接し、導光部２０の他主面から出射された光を反射させる反射板５１を更に有することを特徴としている。
【００６６】
この様な請求項２に記載の標識灯２、４、５、６、７、及び８によれば、反射板５１を設けることにより、導光部２０の他主面２１ｃから出射された光を反射させ、その反射した光の一部を、表示部４０の表示板４１から出射させることができる。したがって、請求項２に記載の標識灯２、４、５、６、７、及び８によれば、導光板２１の一主面２１ａから出射した光に加えて、導光板２１の他主面２１ｃから出射した光も、表示板４１に設けられた情報を表示させることができる。
【００６７】
請求項３に記載の標識灯３乃至８は、請求項１に従属し、導光部２０と透過反射部３０との間に設けられ、導光部２０から出射された光を透過させ透過反射部３０に入射させる透過板６１を更に有することを特徴としている。
【００６８】
この様な請求項３に記載の標識灯３乃至８によれば、透過板６１を設けることにより、導光部２０の一主面２１ａから出射された拡散光を、該透過板６１で十分に拡散させることができる。特に、導光部２０の他主面２１ｃに形成されたパターン２１ｄで発生した拡散光が、十分に拡散してから透過反射部３０の透過反射板３１に入射するため、光の斑を抑制することができる。したがって、請求項３に記載の標識灯３乃至８によれば、表示部４０の表示板４１からより均一な光を出射させることができる。
【００６９】
請求項４に記載の標識灯５乃至８は、請求項２又は請求項３に従属し、導光部２０と反射板５１又は透過板６１との間に、空間が設けられていることを特徴としている。
【００７０】
この様な請求項４に記載の標識灯５乃至８によれば、離間部７０の離間板７１及び離間板７２を設けることにより、導光部２０の一主面２１ａから出射された拡散光を、導光部２０と反射板５１との間、及び導光部２０と透過板６１との間で、それぞれ十分に拡散させることができる。特に、離間部７０の離間板７１を設けることにより、導光部２０の他主面２１ｃに形成されたパターン２１ｄで発生した拡散光が、導光部２０と透過板６１との間で十分に拡散してから、透過板６１に入射するため、光の斑を抑制することができる。したがって、請求項４に記載の標識灯５乃至８によれば、離間部７０の離間板７１及び離間板７２を設けることにより、表示部４０の表示板４１からより均一な光を出射させることができる。
【００７１】
請求項５に記載の標識灯１乃至８は、請求項１に従属し、保持部材１２にて導光部２０の外周を保持され、且つ保持部材１２の内周面に光源部１０が設けられていることを特徴としている。
【００７２】
この様な請求項５に記載の標識灯１乃至８によれば、保持部材１２にて導光部２０の外周を保持し、且つ保持部材１２の内周面に光源１１を所定の間隔で複数実装することができるため、簡便な構造により装置の厚みを抑制することができる。
【００７３】
請求項６に記載の標識灯１乃至８は、請求項５に従属し、保持部材１２の断面形状は、コの字形状に形成されていることを特徴としている。
【００７４】
この様な請求項６に記載の標識灯１乃至８によれば、保持部材１２は外周面に沿って突起状に形成された一端部１２ｂと他端部１２ｃとによりコの字状に形成されているため、導光部２０、透過反射部３０、及び表示部４０の外周を保持することができる。
【００７５】
請求項７に記載の標識灯１乃至８は、請求項１に従属し、透過反射部３０の一主面又は他主面に、反射防止膜が形成されていることを特徴としている。
【００７６】
この様な請求項７に記載の標識灯１乃至８によれば、透過反射部３０において、透過部３０ｂでの反射を抑制し、該透過部３０ｂでの透過率を向上させることができる。
【００７７】
請求項８に記載の標識灯１乃至８は、請求項１に従属し、導光部２０に形成された凹部は、超音波加工、加熱加工、レーザー加工及び成型加工にて形成されることを特徴としている。
【００７８】
この様な請求項８に記載の凹部は、導光部２０の一主面及び他主面の少なくとも一面に形成され、光源部の光を拡散光として導出させる。該凹部は、導光板の主面に当接させた超音波加工用ホーンの超音波の振動を用いて、導光板の主面を部分的に溶融させることにより、該主面に凹部のパターンをマトリクス状に形成する超音波加工、導光板の主面に当接させた加工具の熱を用いて、導光板の主面を部分的に溶融させることにより、該主面に凹部を形成する加熱加工、導光板の主面に集光させたレーザ光の熱を用いて、導光板の主面を部分的に溶融させることにより、該主面に凹部を形成するレーザー加工及び成型する導光板の外形形状を反映させた形状を金型の内部に形成し、例えば射出成型機に装着した金型に対して加熱して軟化させた樹脂を注入してから、該樹脂を冷却させることにより、導光板の主面に凹部を形成する成型加工を用いて形成することができる。
【００７９】
請求項９に記載の標識灯２０１乃至２０６は、光を発する光源部１０と、光源部１０に隣接し、側面から入射された光源部１０の光を主面から出射する導光部２０と、導光部２０の主面の１つである一主面及び一主面に対向して設けられた他主面にそれぞれ積層され、導光部２０の一主面及び他主面から出射された光の一部をそれぞれ透過させ、且つ外部から照射された外来光をそれぞれ反射させる一対の透過反射部１００と、一対の透過反射部１００にそれぞれ積層され、所定の情報が表示され一対の透過反射部からの光をそれぞれ透過させる一対の表示部１１０とを備え、導光部２０は、一主面及び他主面に点状の凹部がマトリクス状に形成され、透過反射部３０は、三角錐形状の凹部状の反射膜が形成された反射部３１ａと、反射部３１ａと反射部３１ａとの間に設けられた透過部３１ｂと、からなることを特徴としている。
【００８０】
この様な請求項９に記載の標識灯２０１乃至２０６によれば、簡便な構造により装置の厚みを抑制することができ、且つ表示部から光を透過させて出射することにより該表示部に表示された情報を外部から認識し易くさせるとともに、外部から照射された外来光を該外来光が照射された方向に反射させることができる。特に、両面発光の標識灯として機能する。また、この様な請求項９に記載の標識灯２０１乃至２０６によれば、導光部２０の一主面及び他主面に点状の凹部がマトリクス状に形成されているため当該凹部で発生した複数の拡散光を、略均一な面発光の光として導光部２０から導出させることができる。さらに、この様な請求項９に記載の標識灯２０１乃至２０６によれば、透過反射部１００において、反射膜が形成された反射部３１ａは、反射ミラーとして機能するため、外部から反射部３１ａに照射された外来光を反射させることができる。一方、透過反射部１００において、透過部３１ｂでは、透過板として機能するため、導光部２０の導光板２１から出射された光を透過させることができる。なお、外部から透過反射部１００に照射された外来光が、標識灯２０１に対して所定の角度以内で入射された場合には、該外来光の発光源に近接した位置に反射させることができる。また、外部から透過反射部１００に照射された外来光が、標識灯２０１に対して大きな角度で入射された場合でも、外来光の発光源と標識灯２０１との距離が十分に短ければ、該外来光の発光源に近接した位置に反射させることができる。
【００８１】
具体的には、例えば、請求項９に記載の標識灯２０１を、例えば、車両が対向して往来する車道に設置し、一方から往来する車両に対しては「通行可」との情報を表示するとともに、反対方向から往来する車両に対しては「進入禁止」との情報を表示する。なお、「通行可」との情報が表示された表示板１１１を透過した光は、透過反射板１０２に遮光されることから、表示板１１２を透過して出射することはない。同様に、「進入禁止」との情報が表示された表示板１１２を透過した光は、透過反射板１０１に遮光されることから、表示板１１１を透過して出射することはない。すなわち、標識灯２０１において、「通行可」の情報が表示された表示板１１１越しに、「進入禁止」との情報が表示された表示板１１２が裏映りして視認されることは無い。同様に、標識灯２０１において、「進入禁止」との情報が表示された表示板１１２越しに、「通行可」の情報が表示された表示板１１１が裏映りして視認されることは無い。したがって、標識灯２０１では、表示する情報が全く異なる表示板１１１及び表示板１１２を対向して設けることができる。
【００８２】
請求項１０に記載の標識灯２０２乃至２０６は、請求項９に従属し、導光部２０と一対の透過反射部１００との間にそれぞれ設けられ、導光部２０から出射された光をそれぞれ透過させ一対の透過反射部１００にそれぞれ入射させる一対の透過板１２１、１２２を更に有することを特徴としている。
【００８３】
この様な請求項１０に記載の標識灯２０２乃至２０６によれば、透過板１２１、１２２を設けることにより、導光部２０の一主面２１ａ、他主面２１ｃから出射された拡散光を、該透過板１２１、１２２で十分に拡散させることができる。特に、導光部２０で発生した拡散光が、十分に拡散してから透過反射部１００に入射するため、光の斑を抑制することができる。したがって、請求項１０に記載の標識灯２０２乃至２０６によれば、一対の表示部１１０の表示板１１１及び表示板１１２からより均一な光を出射させることができる。
【００８４】
請求項１１に記載の標識灯２０３，２０４、及び２０６は、請求項１０に従属し、導光部２０と一対の透過板１２１、１２２との間に、それぞれ空間が設けられていることを特徴としている。
【００８５】
この様な請求項１１に記載の標識灯２０３，２０４、及び２０６によれば、離間部７０の離間板７１及び離間板７２を設けることにより、導光部２０の一主面２１ａ、他主面２１ｃから出射された拡散光を、導光部２０と一対の透過板１２１、１２２との間で、それぞれ十分に拡散させることができる。したがって、請求項１１に記載の標識灯２０３，２０４、及び２０６によれば、離間部７０の離間板７１及び離間板７２を設けることにより、一対の表示部１１０の表示板１１１及び表示板１１２からより均一な光を出射させることができる。
【００８６】
請求項１２に記載の標識灯２０１乃至２０６は、請求項９に従属し、保持部材１２にて導光部２０の外周を保持され、且つ保持部材１２の内周面に光源部１０が設けられていることを特徴としている。
【００８７】
この様な請求項１２に記載の標識灯２０１乃至２０６によれば、保持部材１２にて導光部２０の外周を保持し、且つ保持部材１２の内周面に光源１１を所定の間隔で複数実装することができるため、簡便な構造により装置の厚みを抑制することができる。
【００８８】
請求項１３に記載の標識灯２０１乃至２０６は、請求項１２に従属し、保持部材１２の断面形状は、コの字形状に形成されていることを特徴としている。
【００８９】
この様な請求項１３に記載の標識灯２０１乃至２０６によれば、保持部材１２は外周面に沿って突起状に形成された一端部１２ｂと他端部１２ｃとによりコの字状に形成されているため、導光部２０、一対の透過反射部１００、及び一対の表示部１１０の外周を保持することができる。
【００９０】
請求項１４に記載の標識灯２０１乃至２０６は、請求項９に従属し、一対の透過反射部１００の一主面又は他主面に、反射防止膜が形成されていることを特徴としている。
【００９１】
この様な請求項１４に記載の標識灯２０１乃至２０６によれば、一対の透過反射部１００において、透過部３０ｂでの反射を抑制し、該透過部３０ｂでの透過率を向上させることができる。
【００９２】
請求項１５に記載の標識灯２０１乃至２０６は、請求項９に従属し、導光部２０に形成された凹部は、超音波加工、加熱加工、レーザー加工及び成型加工にて形成されることを特徴としている。
【００９３】
この様な請求項１５に記載の凹部は、導光部２０の一主面及び他主面の少なくとも一面に形成され、光源部の光を拡散光として導出させる。該凹部は、導光板の主面に当接させた超音波加工用ホーンの超音波の振動を用いて、導光板の主面を部分的に溶融させることにより、該主面に凹部のパターンをマトリクス状に形成する超音波加工、導光板の主面に当接させた加工具の熱を用いて、導光板の主面を部分的に溶融させることにより、該主面に凹部を形成する加熱加工、導光板の主面に集光させたレーザ光の熱を用いて、導光板の主面を部分的に溶融させることにより、該主面に凹部を形成するレーザー加工及び成型する導光板の外形形状を反映させた形状を金型の内部に形成し、例えば射出成型機に装着した金型に対して加熱して軟化させた樹脂を注入してから、該樹脂を冷却させることにより、導光板の主面に凹部を形成する成型加工を用いて形成することができる。
【符号の説明】
【００９４】
１，２，３，４，５，６，７，８，２０１，２０２，２０３，２０４，２０５，２０６  標識灯
１０，８０  光源部
１１，８１  光源
１２，１３，１４，８２  保持部材
１２ａ  内周面
１２ｂ，８２ｂ  一端部
１２ｃ，８２ｃ  他端部
２０  導光部
２１，２２  導光板
２０ａ，２１ａ  一主面
２０ｃ，２１ｃ  他主面
２１ｂ，２１ｄ  パターン
２１ｅ  側面
２２  導光板
３０  透過反射部
３１，３２  透過反射板
３１ａ  反射部
３１ｂ  透過部
３２  透過反射板
４０  表示部
４１，４２，４３  表示板
５０  反射部
５１，５２  反射板
６０  透過部
６１，６２  透過板
７０  離間部
７１，７２，７３，７４  離間板
９０  筐体部
９１  筐体
９１ｂ  一端部
９１ｃ  他端部
１００  一対の透過反射部
１０１，１０２，１０３，１０４  透過反射板
１１０  一対の表示部
１１１，１１２，１１３，１１４，１１５，１１６  表示板
１２０  一対の透過部
１２１，１２２  透過板
Ｌ１１，Ｌ１２，Ｌ２１，Ｌ２２，Ｌ２３，Ｌ３１，Ｌ３２，Ｌ３３，Ｌ４１，Ｌ４２，Ｌ４３，Ｌ４４，Ｌ５１，Ｌ５２，Ｌ５３  光
【図１】
2014240981.tif 000003
【図２】
2014240981.tif 000004
【図３】
2014240981.tif 000005
【図４】
2014240981.tif 000006
【図５】
2014240981.tif 000007
【図６】
2014240981.tif 000008
【図７】
2014240981.tif 000009
【図８】
2014240981.tif 000010
【図９】
2014240981.tif 000011
【図１０】
2014240981.tif 000012
【図１１】
2014240981.tif 000013
【図１２】
2014240981.tif 000014
【図１３】
2014240981.tif 000015
【図１４】
2014240981.tif 000016
【図１５】
2014240981.tif 000017
【図１６】
2014240981.tif 000018
【図１７】
2014240981.tif 000019
【図１８】
2014240981.tif 000020
【図１９】
2014240981.tif 000021
【図２０】
2014240981.tif 000022
【図２１】
2014240981.tif 000023
【図２２】
2014240981.tif 000024
【図２３】
2014240981.tif 000025
【図２４】
2014240981.tif 000026
【図２５】
2014240981.tif 000027
【図２６】
2014240981.tif 000028
【図２７】
2014240981.tif 000029
【図２８】
2014240981.tif 000030
【図２９】
2014240981.tif 000031
【図３０】
2014240981.tif 000032